【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
アクセスポイントにおける通信方法であって、
ワイヤレスローカルエリアネットワーク(WLAN)シグナリングフィールド内の共通ユーザフィールドを生成するステップであって、前記共通ユーザフィールドが複数の局によって復号可能であり、前記共通ユーザフィールドが、マルチユーザ(MU)物理層プロトコルデータユニット(PPDU)(MU-PPDU)内のデータフィールドの1つまたは複数の通信リソースユニットを示し、さらに、前記1つまたは複数の通信リソースユニットがMU多入力多出力(MIMO)送信または直交周波数分割多元接続(OFDMA)シングルユーザ送信に関連することを示すリソース割り振りフィールドを備える、ステップと、
前記WLANシグナリングフィールド内の前記共通ユーザフィールドに続いて、前記WLANシグナリングフィールド内に少なくとも1つの局固有フィールドを生成するステップであって、前記WLANシグナリングフィールド内の前記少なくとも1つの局固有フィールドの位置が前記リソース割り振りフィールドによって示される前記データフィールドのためのリソースユニット割り振りパターンの前記1つまたは複数の通信リソースユニットのうちの1つの位置を識別する、ステップと、
前記WLANシグナリングフィールドを含むWLANプリアンブルを送信するステップと
を備える、方法。
【請求項２】
前記共通ユーザフィールドを生成するステップが、
第1の部分と第2の部分とを含むように前記リソース割り振りフィールドを生成するステップであって、前記第1の部分および前記第2の部分の各々が、それぞれの前記第1の部分およびそれぞれの前記第2の部分内に含まれるリソース割り振り情報のタイプのインジケータを含む、ステップを備える、請求項1に記載の方法。
【請求項３】
前記インジケータが、割り振り計画インジケータまたはリソースタイプインジケータを備える、請求項2に記載の方法。
【請求項４】
前記割り振り計画インジケータおよび前記リソースタイプインジケータに少なくとも部分的に基づいて、前記MU-PPDU内の前記1つまたは複数の通信リソースユニットがMU-MIMO送信またはOFDMAシングルユーザ送信に関連することを識別するステップをさらに備える、請求項3に記載の方法。
【請求項５】
前記割り振り計画インジケータおよび前記リソースタイプインジケータに少なくとも部分的に基づいて、前記1つもしくは複数の通信リソースユニットのサイズ、MU-MIMO送信に関連するユーザの数、またはそれらの任意の組合せを識別するステップをさらに備える、請求項3に記載の方法。
【請求項６】
前記リソース割り振りフィールドを生成するステップが、
前記割り振り計画インジケータとともにインデックスを含めるステップであって、前記インデックスが前記1つまたは複数の通信リソースユニットのためのリソースユニット割り振り計画に関連する、ステップをさらに備える、請求項3に記載の方法。
【請求項７】
前記リソース割り振りフィールドを生成するステップが、
前記リソースタイプインジケータとともにインデックスを含めるステップであって、前記インデックスが前記1つまたは複数の通信リソースユニットのユーザの数に関連する、ステップをさらに備える、請求項3に記載の方法。
【請求項８】
前記第1の部分の前記インジケータおよび前記第2の部分の前記インジケータが両方とも割り振り計画インジケータであるとき、前記MU-PPDU内の前記1つまたは複数の通信リソースユニットがOFDMAシングルユーザ送信用であることを識別するステップをさらに備える、請求項3に記載の方法。
【請求項９】
前記リソース割り振りフィールドを生成するステップが、
前記1つまたは複数の通信リソースユニットのサイズが所定のしきい値未満である場合、両方の割り振り計画インジケータとともにインデックスを含めるステップをさらに備える、請求項8に記載の方法。
【請求項１０】
前記リソース割り振りフィールドを生成するステップが、
前記1つまたは複数の通信リソースユニットのサイズが所定のしきい値以上である場合、前記割り振り計画インジケータのうちの一方のみとともにインデックスを含めるステップをさらに備える、請求項8に記載の方法。
【請求項１１】
前記第1の部分の前記インジケータまたは前記第2の部分の前記インジケータのうちの少なくとも一方がリソースタイプインジケータであるとき、前記1つまたは複数の通信リソースユニットがMU-MIMOであることを識別するステップをさらに備える、請求項3に記載の方法。
【請求項１２】
前記リソース割り振りフィールドを生成するステップが、
前記1つまたは複数の通信リソースユニットのサイズが所定のしきい値未満である場合、前記第1の部分と前記第2の部分の両方とともに前記リソースタイプインジケータを含めるステップをさらに備える、請求項11に記載の方法。
【請求項１３】
リソース割り振りフィールドを生成するステップが、
前記1つまたは複数の通信リソースユニットのサイズが所定のしきい値未満である場合、前記第1の部分および前記第2の部分のうちの一方とともに前記割り振り計画インジケータを含め、前記第1の部分および前記第2の部分のうちの他方とともに前記リソースタイプインジケータを含めるステップをさらに備える、請求項11に記載の方法。
【請求項１４】
前記共通ユーザフィールドを生成するステップが、
第1のリソース割り振り計画部分と第2のユーザ数部分とを含むように前記リソース割り振りフィールドを生成するステップを備える、請求項1に記載の方法。
【請求項１５】
前記少なくとも1つの局固有フィールドが、前記MU-PPDU内のOFDMAシングルユーザ送信に関連し、局識別フィールドと、変調およびコーディング方式フィールドと、コーディングフィールドと、スケジューリングされたストリームの数フィールドと、空間時間ブロックコードフィールドと、送信ビームフォーミングフィールドとを備える、請求項1に記載の方法。
【請求項１６】
前記少なくとも1つの局固有フィールドが、MU-MIMO送信に関連し、局識別フィールドと、変調およびコーディング方式フィールドと、コーディングフィールドと、スケジューリングされたストリームの数フィールドと、ストリームインデックスとを備える、請求項1に記載の方法。
【請求項１７】
前記少なくとも1つの局固有フィールドのうちの第1の局固有フィールドと第2の局固有フィールドとの間の中心位置に中心局固有フィールドを生成するステップであって、前記中心局固有フィールドの前記中心位置が前記MU-PPDU内の中心通信リソースユニットを識別する、ステップをさらに備える、請求項1に記載の方法。
【請求項１８】
前記少なくとも1つの局固有フィールドに続く前記WLANシグナリングフィールドの最後の位置に中心局固有フィールドを生成するステップであって、前記中心局固有フィールドの前記最後の位置が前記MU-PPDU内の中心通信リソースユニットを識別する、ステップをさらに備える、請求項1に記載の方法。
【請求項１９】
前記WLANシグナリングフィールド内の前記少なくとも1つの局固有フィールドの順序が、前記リソース割り振りフィールドによって示される前記リソースユニット割り振りパターンの前記1つまたは複数の通信リソースユニットのうちの1つの位置を識別する、請求項1に記載の方法。
【請求項２０】
局における通信方法であって、
WLANシグナリングフィールド内の共通ユーザフィールドと前記WLANシグナリングフィールド内の少なくとも1つの局固有フィールドとを含むワイヤレスローカルエリアネットワーク(WLAN)プリアンブルを受信するステップと、
マルチユーザ(MU)物理層プロトコルデータユニット(PPDU)(MU-PPDU)内のデータフィールドの1つまたは複数の通信リソースユニットを示し、前記1つまたは複数の通信リソースユニットがMU多入力多出力(MIMO)送信または直交周波数分割多元接続(OFDMA)シングルユーザ送信に関連することをさらに示す前記共通ユーザフィールドに関連するリソース割り振りフィールドを識別するステップと、
前記WLANプリアンブル内に含まれる前記WLANシグナリングフィールド内の前記局固有フィールドの位置に少なくとも部分的に基づいて、前記局に関連する前記少なくとも1つの局固有フィールドのうちの局固有フィールドと、前記局固有フィールドに対応する前記MU-PPDU内の前記データフィールドの前記1つまたは複数の通信リソースユニットのうちの少なくとも1つの通信リソースユニットとを識別するステップと
を備える、方法。
【請求項２１】
前記リソース割り振りフィールドに少なくとも部分的に基づいて、前記少なくとも1つの通信リソースユニットのサイズを識別するステップをさらに備える、請求項20に記載の方法。
【請求項２２】
前記リソース割り振りフィールドに少なくとも部分的に基づいて、前記少なくとも1つの通信リソースユニットがMU-MIMO送信またはOFDMAシングルユーザ送信に関連することを識別するステップをさらに備える、請求項20に記載の方法。
【請求項２３】
前記リソース割り振りフィールドに少なくとも部分的に基づいて、MU-MIMO送信に関連する前記少なくとも1つの通信リソースユニットを監視するユーザの数を識別するステップをさらに備える、請求項20に記載の方法。
【請求項２４】
前記リソース割り振りフィールドに少なくとも部分的に基づいて、前記局固有フィールドに対応する前記少なくとも1つの通信リソースユニットの位置を識別するステップをさらに備える、請求項20に記載の方法。
【請求項２５】
前記少なくとも1つの局固有フィールドのうちの第1の局固有フィールドと第2の局固有フィールドとの間の中心位置における中心局固有フィールドを識別するステップと、
前記中心位置における前記中心局固有フィールドを識別することに少なくとも部分的に基づいて、前記中心局固有フィールドに対応する前記MU-PPDU内の中心通信リソースユニットを識別するステップと
をさらに備える、請求項20に記載の方法。
【請求項２６】
前記少なくとも1つの局固有フィールドに続く最後の位置における中心局固有フィールドを識別するステップと、
前記最後の位置における前記中心局固有フィールドを識別することに少なくとも部分的に基づいて、前記中心局固有フィールドに対応する前記MU-PPDU内の中心通信リソースユニットを識別するステップと
をさらに備える、請求項20に記載の方法。
【請求項２７】
前記局に関連する前記少なくとも1つの局固有フィールドのうちの前記局固有フィールドと、前記局固有フィールドに対応する前記MU-PPDU内の前記1つまたは複数の通信リソースユニットのうちの少なくとも1つの通信リソースユニットとを識別するステップが、前記WLANプリアンブル内の前記少なくとも1つの局固有フィールドの順序に少なくとも部分的に基づく、請求項20に記載の方法。
【請求項２８】
アクセスポイントにおける通信デバイスであって、
プロセッサと、前記プロセッサに通信可能に結合されたメモリとを備え、前記メモリがコンピュータ可読コードを含み、前記コンピュータ可読コードが、前記プロセッサによって実行されると、
ワイヤレスローカルエリアネットワーク(WLAN)シグナリングフィールド内に共通ユーザフィールドを生成することであって、前記共通ユーザフィールドが複数の局によって復号可能であり、前記共通ユーザフィールドが、マルチユーザ(MU)物理層プロトコルデータユニット(PPDU)(MU-PPDU)内のデータフィールドの1つまたは複数の通信リソースユニットを示し、前記1つまたは複数の通信リソースユニットがMU多入力多出力(MIMO)送信または直交周波数分割多元接続(OFDMA)シングルユーザ送信に関連することをさらに示すリソース割り振りフィールドを含む、生成することと、
前記WLANシグナリングフィールド内の前記共通ユーザフィールドに続いて、前記WLANシグナリングフィールド内に少なくとも1つの局固有フィールドを生成することであって、前記WLANシグナリングフィールド内の前記少なくとも1つの局固有フィールドの位置が前記リソース割り振りフィールドによって示される前記データフィールドのためのリソースユニット割り振りパターンの前記1つまたは複数の通信リソースユニットのうちの1つの位置を識別する、生成することと、
前記WLANシグナリングフィールドを含むWLANプリアンブルを送信することと
を前記通信デバイスに行わせる、通信デバイス。
【請求項２９】
第1の部分と第2の部分とを含むように前記リソース割り振りフィールドを生成することであって、前記第1の部分および前記第2の部分の各々が、それぞれの前記第1の部分およびそれぞれの前記第2の部分内に含まれるリソース割り振り情報のタイプのインジケータを含む、生成することを前記通信デバイスに行わせるコードをさらに備える、請求項28に記載の通信デバイス。
【請求項３０】
前記インジケータが、割り振り計画インジケータまたはリソースタイプインジケータを備える、請求項29に記載の通信デバイス。
【請求項３１】
局における通信デバイスであって、
プロセッサと、前記プロセッサに通信可能に結合されたメモリとを含み、前記メモリがコンピュータ可読コードを含み、前記コンピュータ可読コードが、前記プロセッサによって実行されると、
WLANシグナリングフィールド内の共通ユーザフィールドと前記WLANシグナリングフィールド内の少なくとも1つの局固有フィールドとを含むワイヤレスローカルエリアネットワーク(WLAN)プリアンブルを受信することと、
マルチユーザ(MU)物理層プロトコルデータユニット(PPDU)(MU-PPDU)内のデータフィールドの1つまたは複数の通信リソースユニットを示し、前記1つまたは複数の通信リソースユニットがMU多入力多出力(MIMO)送信または直交周波数分割多元接続(OFDMA)シングルユーザ送信に関連することをさらに示す前記共通ユーザフィールドに関連するリソース割り振りフィールドを識別することと、
前記WLANプリアンブル内に含まれる前記WLANシグナリングフィールド内の前記局固有フィールドの位置に少なくとも部分的に基づいて、前記局に関連する前記少なくとも1つの局固有フィールドのうちの局固有フィールドと、前記局固有フィールドに対応する前記MU-PPDU内の前記データフィールドの前記1つまたは複数の通信リソースユニットのうちの少なくとも1つの通信リソースユニットとを識別することと
を前記通信デバイスに行わせる、通信デバイス。
【請求項３２】
前記リソース割り振りフィールドに少なくとも部分的に基づいて、少なくとも、
前記少なくとも1つの通信リソースのサイズ、または、
前記少なくとも1つの通信リソースユニットがMU-MIMO送信に関連すること、または、
前記少なくとも1つの通信リソースユニットがOFDMAシングルユーザ送信に関連すること、または、
MU-MIMO送信に関連する前記少なくとも1つの通信リソースユニットを監視するユーザの数、または、
それらの組合せ
を識別することを前記通信デバイスに行わせるコードをさらに備える、請求項31に記載の通信デバイス。